(57)【特許請求の範囲】
【請求項１】
記録媒体に光ビームを集光して情報を記録する情報記録装置において，
チャネルクロックに同期した記録データに応じて，前記光ビームをパルス変調し，かつ，前記記録媒体を初期化するときは，通常記録時のチャネルクロックあたりの記録パルス数より少ないパルス数で前記光ビームをパルス変調する記録パルス発生手段を有することを特徴とする情報記録装置。
【請求項２】
前記記録パルス発生手段が，前記記録媒体を初期化する際は，チャネルクロックあたりの記録パルス幅単位を通常記録時の２倍にすることを特徴とする請求項１記載の情報記録装置。
【請求項３】
前記記録パルス発生手段が，前記記録媒体を初期化する際は，通常記録時より記録媒体の走査速度を大きくすることを特徴とする請求項１記載の情報記録装置。
【請求項４】
前記記録媒体に光ビームを集光して情報を記録する情報記録装置において，
チャネルクロツクに同期した記録データに応じて，前記光ビームをパルス変調する記録パルス発生手段と，
前記記録パルス発生手段が，前記記録媒体を初期化するときは，前記パルス変調の高レベルと低レベルの差を通常記録時より小さくしたことを特徴とする情報記録装置。
【発明の詳細な説明】
【０００１】
【発明の属する技術分野】
本発明は，記録媒体の初期化時間を短縮することが可能な情報記録装置に関する。
【０００２】
【従来の技術】
ＣＤ‐Ｅ（消去可能コンパクトディスク）やＤＶＤ‐ＲＡＭ（記録可能ディジタルビデオディスク）などの相変化記録媒体では，図７のように記録データに対応して，それより短い周期で記録レーザをパルス発光させることにより非結晶化マークと結品化スペースとを形成して情報の記録が行われる。
【０００３】
また，特開平７−５７２２８号公報に開示されている情報記録装置では，記録信号のパルス幅と同じか又はそれより小さいパルス幅でレーザを発光させることができるので，相変化記録媒体への記録が可能になっている。
【０００４】
【発明が解決しようとする課題】
しかしながら，ＣＤ‐ＥやＤＶＤ‐ＲＡＭディスクをいつでもＣＤ‐ＲＯＭ装置やＤＶＤ‐ＲＯＭ装置で読むことができるようにするためには，あらかじめ全面にダミーの記録データを記録しておく必要がある。これを初期化又はフォーマッティングと呼ぶ。
【０００５】
フォーマッティングは，ユーザが新品のディスクを購入したとき，一度はおこなわなければならないが，当該フォーマッティングは，ディスク全面にダミーデータを記録しなければならないので時間がかかる。
【０００６】
そこでディスクを高速で回転させれば，フォーマット時間を短縮することが可能になる。このとき当然記録パルスの周期は，それに応じて短くしなければならないが，一般に駆動回路の立ち上がり・立ち下がり時間は無限に小さくできず，レーザ波形は「なまって」しまう。
【０００７】
従って，短いパルスでレーザ発光を行わせるためには，高速な駆動回路が必要になりコスト高となってしまう。
【０００８】
また，ディスク製造工程でフォーマッティングを行えば，ユーザによるフォーマッティングは不要になるが，その分ディスク製造コストは高くなる。
【０００９】
そこで，本発明は▲１▼高速なレーザ駆動回路を不要とし，低コストで初期化が行えること，▲２▼初期化時間を短くすること，▲３▼ディスク製造工程における初期化作業を不要とし，ディスクコストを下げることが可能な情報記録装置を提供することを目的とする。
【００１０】
【課題を解決するための手段】
上記課題を解決するために，請求項１にかかる発明は，記録媒体に光ビームを集光して情報を記録する情報記録装置において，記録パルス発生手段によりチャネルクロックに同期した記録データに応じて光ビームをパルス変調し，かつ，記録媒体を初期化するときは，記録媒体にユーザデータを記録するときのチャネルクロックあたりの記録パルス数より少ないパルス数で光ビームをパルス変調するようにしたことを特徴とする。
【００１１】
請求項２にかかる発明は，記録パルス発生手段が，記録媒体を初期化する際には，チャネルクロックあたりの記録パルス幅単位を記録媒体にユーザデータを記録するときの２倍にしたことを特徴とする。
【００１２】
請求項３にかかる発明は，前記記録パルス発生手段が，前記記録媒体を初期化する際は，ユーザデータを記録するときより記録媒体の走査速度を大きくしたことを特徴とする。
【００１３】
請求項４にかかる発明は，記録媒体に光ビームを集光して情報を記録する情報記録装置において，チャネルクロツクに同期した記録データに応じて光ビームをパルス変調する記録パルス発生手段を設けて，記録パルス発生手段が記録媒体を初期化するときは，パルス変調の高レベルと低レベルの差をユーザデータを記録するときより小さくするようにしたことを特徴とする。
【００１４】
【発明の実施の形態】
本発明に実施の形態を図を参照して説明する。図１は記録パルス波形を示したもので，チャネルクロック（Ｃｈａｎｎｅｌ  Ｃｌｋ）は記録時の基本チャネルクロックで，このチャネルクロックに同期して装置が動作する。
【００１５】
記録データ（Ｗｒｉｔｅ  Ｄａｔａ）は記録すべきデータで，例えばＨｉｇｈレベルがディスク上の記録マークに相当する。ＣＤやＤＶＤの場合，記録マークの長さはチャネルクロック３個から１１個の長さが存在する。
【００１６】
相変化ディスクにおける通常記録時は記録データのＨｉｇｈレベル期間に応じて，パワーレベルＰｗとＰｂの間でパルス変調をかけてレーザを発光させ，Ｌｏｗレベル期間でＰｅレベルではＰｅレベルで発光させる。
【００１７】
今，チャネルクロック１個分の長さをＴで表わすと，パルス変調期間のパルス幅は，例えば０．５Ｔであり，図１の場合は３Ｔの区間でＰｗ‐Ｐｂ‐Ｐｗ‐Ｐｂの４回の変化がある。６Ｔの区間では１０回の変化がある。
【００１８】
本発明では，このパルス数を初期化時は少なくする。図１では初期化時のパルス幅は１Ｔを単位とし，３Ｔの区間ではＰｗ‐Ｐｂ‐Ｐｗの３回，６Ｔの区間ではＰｗ‐Ｐｂ‐Ｐｗ‐Ｐｂ‐Ｐｗ‐Ｐｂの６回とした。
【００１９】
このように，パルス幅を広くしパルス数を少なくしてやれば，駆動回路の立ち上がり・立ち下がり時間が通常記録時の０．５Ｔのパルスを出力できる程度に短ければ，図２のように初期化時はチャネルクロックを速く（例えば２倍の周波数に）して高速化できる。
【００２０】
このとき，回転数もそれに応じて高くすれば，ディスク上に形成される記録マークの物理的長さは，通常記録時と同じにできる。
【００２１】
もちろん，ディスクの記録膜の特性としては，通常記録時のような，０．５Ｔ単位のパルス記録でマーク形成が最適になるように設計されているので，初期化時のような１Ｔ単位のパルス記録の場合のマーク状態は最適とはいえない。
【００２２】
しかし，初期化時に用いる記録データはダミーデータであって，再生専用のＣＤ‐ＲＯＭ装置やＤＶＤ‐ＲＯＭ装置が再生ヘッドを位置決めできる程度の品質であればよい。
【００２３】
したがって，初期化時に１Ｔ単位のパルスで記録した方が，その分高速にできるので有利である。
【００２４】
無論，通常記録時を０．５Ｔ単位とし，初期化時を１Ｔ単位のパルスと限定する必要はなく，初期化時の方が通常記録時にくらべてチャネルクロック単位で長いパルスにしてやれば同様の効果を奏することが可能である。
【００２５】
図３は，かかる初期化を行うことができる情報記録装置の構成を示したものである。１は記録データ変調器で，記録情報である記録データをチャネルクロックに同期して，シリアルな記録データ系列（例えばＣＤではＥＦＭデータ系）に変換する。
【００２６】
２は通常記録時のパルス変調器で，記録データ系列を図１の通常記録時のレーザ波形に変換する。すなわち，記録データのＨｉｇｈ区間でＰｗとＰｂの間で０．５Ｔ単位でパルス変調する。
【００２７】
レーザパワーレベルＰｗ，Ｐｅ，Ｐｂ等は，実際は半導体レーザに流す電流レベルとして出力すればよい。
【００２８】
３は初期化時のパルス変調器で，記録データ系列を例えば図１の初期化時のレーザ波形に変換する。すなわち，記録データのＨｉｇｈ区間でＰｗとＰｂの間で１Ｔ単位でパルス変調する。
【００２９】
４はセレクタで，パルス変調器２の出力かパルス変調器３の出力かを選択して，光へッド５内にある半導体レーザに出力する。選択は，図示しないコントローラから指示され，通常処理か初期化処理かを示すＮｏｒｍａｌ／Ｉｎｉｔ．信号に基づき行われる。
【００３０】
５は光ヘツドで，半導体レーザ光源を持ち，該レーザ光をディスク６の記録面に集光して記録マークを形成する。６は記録ディスクで，よく知られているように相変化膜，色素膜，光磁気記録膜といった記録膜にレーザ光をパルス変調して照射することで記録マークが形成される。
【００３１】
７は回転モータでディスク６を回転させる。８は回転モータ駆動回路で，チャネルクロックに同期してモータ７を回転させる。
【００３２】
９は通常記録時のチャネルクロック発生器，１０は初期化時のチャネルクロック発生器である。チャネルクロック発生器１０からのチャネルクロックをチャネルクロック発生器９のそれより高い周波数にしておくと，初期化時にディスク回転は通常時より高速になる。
【００３３】
１１はセレクタで，チャネルクロックを選択する。選択はＮｏｒｍａｌ／Ｉｎｉｔ．信号に基づき行われる。
【００３４】
このような構成で，通常時，セレクタ４はパルス変調器２からのパルスを選択し，セレクタ１１はチャネルクロック発生器９からのチャネルクロックを選択し，初期化時，セレクタ４はパルス変調器３からのパルスを選択し，セレクタ１１はチャネルクロック発生器１０からのチャネルクロックを選択する。
【００３５】
したがって，レーザ波形は図１のようになり，初期化時にチャネルクロック発生器１０のチャネルクロックを選択すると，図２のような波形となって，高速に初期化ができる。
【００３６】
次に第２の実施の形態について図を参照して説明する。図４は記録パルス波形で，図１と違うのは初期化時の波形においてパルス単位は通常時と同じ０．５Ｔであるが，Ｐｂレベルを通常時のＰｂ１より高いＰｂ２レベルとした点である。
【００３７】
こうすることで，ＰｗからＰｂ２までのレベル差が小さくなり，同じ立ち上かり時間を有する駆動回路なら，より高速に変調できることになる。
【００３８】
したがって，図５のように初期化時はチャネルクロックを速くして高速に初期化が可能になる。
【００３９】
無論，この場合も第１の実施の形態の場合と同様に，ディスクの記録膜の特性としては，通常記録時のようなＰｗからＰｂｌのフルスイングパルス記録でマーク形成が最適になるように設計されているので，初期化時のようなＰｗ‐Ｐｂ２が小さいパルス記録の場合のマーク状態は最適とはいえない。
【００４０】
しかし，初期化時に用いる記録データは，ダミーデータであって，再生専用のＣＤ‐ＲＯＭ装置やＤＶＤ‐ＲＯＭ装置が再生ヘッドを位置決めできる程度の品質であればよいので，初期化時にＰｗ‐Ｐｂ２が小さいパルスで記録した方が，その分高速にできるので有利である。
【００４１】
図６にかかる情報記録装置の構成例を示す。第１の実施の形態と同一構成に関しては同一符号を用いて説明を適宜省略する。
【００４２】
２１はパルス変調器で，記録データ系列を図１の通常記録時のレーザ波形に変換する。すなわち，記録データのＨｉｇｈ区間でＰｗとＰｂの間で０．５Ｔ単位でパルス変調する。
【００４３】
レーザパワーレベルＰｗ，Ｐｅ，Ｐｂ等は，実際は半導体レーザに流す電流レベルとして出力すればよい。
【００４４】
また，パルス変調器２１は，Ｐｂレベルを外部から可変できるようになっており，レベル設定器２２，２３でＰｂ１，Ｐｂ２を設定しておきセレクタ２４で選択する。
【００４５】
レベル設定器２２，２３，２４は，具体的には定電圧原とセレクタでもよいし，Ｄ／Ａ変換器で設定してもよい。いずれにしても，Ｐｂ１＜Ｐｂ２とする。
【００４６】
このような構成で，通常記録時はＰｂ１を初期化時はＰｂ２（Ｐｂ１より高いレベル）を設定する。これにより，初期化時の記録パルス振幅（Ｐｗ‐Ｐｂ２）を通常時の記録パルス振幅（Ｐｗ‐Ｐｂ１）より小さくでき，立ち上がり・立ち下がり時間が通常時と同じでも，振幅が小さい分高速に変調可能になり，高速で回転させて初期化時間を短くできる。
【００４７】
【発明の効果】
請求項１にかかる発明によれば，記録パルス発生手段は，記録媒体を初期化するときは，通常記録時のチャネルクロツクあたりの記録パルス数より少ないパルス数で光ビームを変調するので，立ち上がり・立ち下がり時間が低速な光源駆動系を用いて初期化を行うことができ低コスト化できる。
【００４８】
また，ユーザサイドで記録媒体の初期化ができるので，ディスク製造工程における初期化作業が不要になり，ディスクコストが下げられる。
【００４９】
請求項２にかかる発明によれば，初期化時はチャネルクロックあたりの記録パルス幅単位を通常記録時の２倍とするので，通常記録時と同一チャネルクロックから初期化時の記録パルスを作ることができ，回路構成が簡単でさらに低コスト化できる。
【００５０】
請求項３にかかる発明によれば，初期化時は通常記録時より記録媒体の走査速度を大きくするので，低コストのまま初期化時間を短縮できる。
【００５１】
請求項４にかかる発明によれば，記録パルス発生手段は，記録媒体を初期化するときは，パルス変調の高レベルと低レベルの差を通常記録時より小さくするようにしたので，立ち上がり・立ち下がり時間が低速な光源駆動系を用いて初期化を行うことができ低コスト化できる。
【００５２】
また，ユーザサイドで記録媒体の初期化ができるので，ディスク製造工程における初期化作業が不要になり，記録媒体のコストが下げられる。
【００５３】
また，記録パルスのパルス幅単位を変えないので，回路構成が簡単である。
【図面の簡単な説明】
【図１】本発明の第１の実施の形態の作用原理を説明するための記録パルス波形を示した図である。
【図２】本発明の第１の実施の形態にかかる記録パルス波形を示した図である。
【図３】本発明の第１の実施の形態にかかる情報記録装置の構成図である。
【図４】本発明の第２の実施の形態の作用原理を説明するための記録パルス波形を示した図である。
【図５】本発明の第２の実施の形態にかかる記録パルス波形を示した図である。
【図６】本発明の第２の実施の形態にかかる情報記録装置の構成図である。
【図７】解決課題の説明に適用される記録パルス波形を示した図である。
【符号の説明】
１  データ変調器
２  通常記録時のパルス変調器
３  初期化時のパルス変調器
４，１１，２４  セレクタ
５  光へッド
６  ディスク
７  回転モータ
８  回転モータ駆動回路
９  通常記録時のチャネルクロック発生器
１０  初期化時のチャネルクロック発生器
２１  パルス変調器
２２  通常記録時のレベル設定器
２３  初期化時のレベル設定器
【図１】
0003792325.tif 000002
【図２】
0003792325.tif 000003
【図３】
0003792325.tif 000004
【図４】
0003792325.tif 000005
【図５】
0003792325.tif 000006
【図６】
0003792325.tif 000007
【図７】
0003792325.tif 000008